(57)【特許請求の範囲】
【請求項１】
制御フィールドを有する第１のフレームを受信することであって、前記第１のフレームは、前記制御フィールドと第２のフレームとを備えるラッパーフレームであることと、
前記制御フィールドに少なくとも部分的に基づいて前記制御フィールドが超高スループット、つまりＶＨＴ、制御フィールドを備えるか又は高スループット、つまりＨＴ、制御フィールドを備えるかを決定することと、
前記決定されたタイプに基づいて前記制御フィールドを処理することと、
前記制御フィールド内のビットを評価することと、
前記ビットが第１の値を有するかどうかに応じて、前記第２のフレームが、超高スループット、つまりＶＨＴ、制御フレーム又は高スループット、つまりＨＴ、制御フレームであると決定することと、
前記決定されたタイプに基づいて前記第２のフレームを処理することと、
を備える、ＩＥＥＥ８０２．１１通信規格による無線通信方法。
【請求項２】
前記制御フレームは、継続時間フィールド、アドレスフィールド、搬送されるフレーム制御、又はＦＣＳフィールドのうちの少なくとも１つをさらに備える請求項１に記載の方法。
【請求項３】
前記ラッパーフレームは、前記制御フィールドの予約されたサブフィールドに対応する前記制御フィールドの場所内において１つ以上のビットを備える請求項１に記載の方法。
【請求項４】
前記場所は、前記制御フィールド内の第１、第２１又は第２２のビットのうちの少なくとも１つと前記制御フィールド内の第２６乃至第３０のビットのうちのいずれかと、を備える請求項３に記載の方法。
【請求項５】
前記ラッパーフレームは、物理層プロトコルデータユニット（ＰＰＤＵ）で受信される請求項３に記載の方法。
【請求項６】
前記制御フィールドは、リンク適合化制御サブフィールド、予約されたサブフィールド、ＡＣ制約サブフィールド、又はＲＤＧサブフィールドのうちの少なくとも１つを備えるＶＨＴ制御フィールドを備える請求項１に記載の方法。
【請求項７】
前記リンク適合化制御サブフィールドは、１６ビットを備え、前記予約されたサブフィールドは、１４ビットを備え、前記ＡＣ制約サブフィールドは、１ビットを備え、前記ＲＤＧサブフィールドは、１ビットを備える請求項６に記載の方法。
【請求項８】
前記第１のフレームは、前記制御フィールドと異なるフレーム制御サブフィールドを備え、前記フレーム制御サブフィールドに基づいて前記第１のフレームはＶＨＴラッパーを備えると決定することをさらに備える請求項１に記載の方法。
【請求項９】
前記第１のフレームは、前記第１のフレームがラッパーフレームであることを示すタイプフィールドを備える請求項１に記載の方法。
【請求項１０】
前記第１のフレームは、前記第１のフレームが制御フレームのためのラッパーであることを示すサブタイプフィールドを備える請求項１に記載の方法。
【請求項１１】
制御フィールドを有する第１のフレームを受信するように構成された受信機であって、前記第１のフレームは、前記制御フィールドと第２のフレームとを備えるラッパーフレームである受信機と、
前記制御フィールドに少なくとも部分的に基づいて前記制御フィールドが超高スループット、つまりＶＨＴ、制御フィールドを備えるか又は高スループット、つまりＨＴ、制御フィールドを備えるかを決定し、
前記決定されたタイプに基づいて前記制御フィールドを処理し、
前記制御フィールド内のビットを評価し、
前記ビットが第１の値を有するかどうかに応じて、前記第２のフレームが、超高スループット、つまりＶＨＴ、制御フレーム又は高スループット、つまりＨＴ、制御フレームであると決定し、
前記決定されたタイプに基づいて前記第２のフレームを処理するように構成された処理システムと、を備える、ＩＥＥＥ８０２．１１通信規格による無線通信のための装置。
【請求項１２】
前記制御フレームは、継続時間フィールド、アドレスフィールド、搬送されるフレーム制御、又はＦＣＳフィールドのうちの少なくとも１つをさらに備える請求項１１に記載の装置。
【請求項１３】
前記ラッパーフレームは、前記制御フィールドの予約されたサブフィールドに対応する前記制御フィールドの場所内において１つ以上のビットを備える請求項１１に記載の装置。
【請求項１４】
前記場所は、前記制御フィールド内の第１、第２１又は第２２のビットのうちの少なくとも１つと前記制御フィールド内の第２６乃至第３０のビットのうちのいずれかと、を備える請求項１３に記載の装置。
【請求項１５】
前記ラッパーフレームは、物理層プロトコルデータユニット（ＰＰＤＵ）で受信される請求項１３に記載の装置。
【請求項１６】
前記制御フィールドは、リンク適合化制御サブフィールド、予約されたサブフィールド、ＡＣ制約サブフィールド、又はＲＤＧサブフィールドのうちの少なくとも１つを備えるＶＨＴ制御フィールドを備える請求項１１に記載の装置。
【請求項１７】
前記リンク適合化制御サブフィールドは、１６ビットを備え、前記予約されたサブフィールドは、１４ビットを備え、前記ＡＣ制約サブフィールドは、１ビットを備え、前記ＲＤＧサブフィールドは、１ビットを備える請求項１６に記載の装置。
【請求項１８】
前記第１のフレームは、前記制御フィールドと異なるフレーム制御フィールドを備え、前記フレーム制御フィールドに基づいて前記第１のフレームはＶＨＴラッパーを備えると決定することをさらに備える請求項１１に記載の装置。
【請求項１９】
前記第１のフレームは、前記第１のフレームがラッパーフレームであることを示すタイプフィールドを備える請求項１１に記載の装置。
【請求項２０】
前記第１のフレームは、前記第１のフレームが制御フレームのためのラッパーであることを示すサブタイプフィールドを備える請求項１１に記載の装置。
【請求項２１】
制御フィールドを有する第１のフレームを受信するための手段であって、前記第１のフレームは、前記制御フィールドと第２のフレームとを備えるラッパーフレームである手段と、
前記制御フィールドに少なくとも部分的に基づいて前記制御フィールドが超高スループット、つまりＶＨＴ、制御フィールドを備えるか又は高スループット、つまりＨＴ、制御フィールドを備えるかを決定するための手段と、
前記決定されたタイプに基づいて前記制御フィールドを処理するための手段と、
前記制御フィールド内のビットを評価するための手段と、
前記ビットが第１の値を有するかどうかに応じて、前記第２のフレームが、超高スループット、つまりＶＨＴ、制御フレーム又は高スループット、つまりＨＴ、制御フレームであると決定するための手段と、
前記決定されたタイプに基づいて前記第２のフレームを処理するための手段と、を備える、ＩＥＥＥ８０２．１１通信規格による無線通信のための装置。
【請求項２２】
前記制御フレームは、継続時間フィールド、アドレスフィールド、搬送されるフレーム制御、又はＦＣＳフィールドのうちの少なくとも１つをさらに備える請求項２１に記載の装置。
【請求項２３】
前記ラッパーフレームは、前記制御フィールドの予約されたサブフィールドに対応する前記制御フィールドの場所内において１つ以上のビットを備える請求項２１に記載の装置。
【請求項２４】
前記場所は、前記制御フィールド内の第１、第２１又は第２２のビットのうちの少なくとも１つと前記制御フィールド内の第２６乃至第３０のビットのうちのいずれかと、を備える請求項２３に記載の装置。
【請求項２５】
前記ラッパーフレームは、物理層プロトコルデータユニット（ＰＰＤＵ）で受信される請求項２３に記載の装置。
【請求項２６】
前記制御フィールドは、リンク適合化制御サブフィールド、予約されたサブフィールド、ＡＣ制約サブフィールド、又はＲＤＧサブフィールドのうちの少なくとも１つを備えるＶＨＴ制御フィールドを備える請求項２１に記載の装置。
【請求項２７】
前記リンク適合化制御サブフィールドは、１６ビットを備え、前記予約されたサブフィールドは、１４ビットを備え、前記ＡＣ制約サブフィールドは、１ビットを備え、前記ＲＤＧサブフィールドは、１ビットを備える請求項２６に記載の装置。
【請求項２８】
前記第１のフレームは、前記制御フィールドと異なるフレーム制御サブフィールドを備え、前記フレーム制御サブフィールドに基づいて前記第１のフレームはＶＨＴラッパーを備えると決定するための手段をさらに備える請求項２１に記載の装置。
【請求項２９】
前記第１のフレームは、前記第１のフレームがラッパーフレームであることを示すタイプフィールドを備える請求項２１に記載の装置。
【請求項３０】
前記第１のフレームは、前記第１のフレームが制御フレームのためのラッパーであることを示すサブタイプフィールドを備える請求項２１に記載の装置。
【請求項３１】
実行されたときに、
制御フィールドを有する第１のフレームを受信し、前記第１のフレームは、前記制御フィールドと第２のフレームとを備えるラッパーフレームであり、
前記制御フィールドに少なくとも部分的に基づいて前記制御フィールドが超高スループット、つまりＶＨＴ、制御フィールドを備えるか又は高スループット、つまりＨＴ、制御フィールドを備えるかを決定し、
前記決定されたタイプに基づいて前記制御フィールドを処理し、
前記制御フィールド内のビットを評価し、
前記ビットが第１の値を有するかどうかに応じて、前記第２のフレームが、超高スループット、つまりＶＨＴ、制御フレーム又は高スループット、つまりＨＴ、制御フレームであると決定し、
前記決定されたタイプに基づいて前記第２のフレームを処理することを装置に行わせる命令を備える、ＩＥＥＥ８０２．１１通信規格によって無線で通信するためのコンピュータプログラム。
【請求項３２】
アンテナと、
制御フィールドを有する第１のフレームを、前記アンテナを介して、受信するように構成された受信機であって、前記第１のフレームは、前記制御フィールドと第２のフレームとを備えるラッパーフレームである受信機と、
前記制御フィールドに少なくとも部分的に基づいて前記制御フィールドが超高スループット、つまりＶＨＴ、制御フィールドを備えるか又は高スループット、つまりＨＴ、制御フィールドを備えるかを決定し、
前記決定されたタイプに基づいて前記制御フィールドを処理し、
前記制御フィールド内のビットを評価し、
前記ビットが第１の値を有するかどうかに応じて、前記第２のフレームが、超高スループット、つまりＶＨＴ、制御フレーム又は高スループット、つまりＨＴ、制御フレームであると決定し、
前記決定されたタイプに基づいて前記第２のフレームを処理するように構成された処理システムと、を備える、ＩＥＥＥ８０２．１１通信規格によって無線通信のためのユーザ端末。 
【発明の詳細な説明】
【技術分野】
【０００１】
関連出願の相互参照
本出願は、引用によって各々の内容全体がここにおいて組み入れられている米国仮特許出願第６１／３８７，５４２号（出願日：２０１０年９月２９日）、米国仮特許出願第６１／３８９，４９５号（出願日：２０１０年１０月４日）、米国仮特許出願第６１／４０５，２８３号（出願日：２０１０年１０月２１日）、米国仮特許出願第６１／４２２，０９８号（出願日：２０１０年１２月１０日）、米国仮特許出願第６１／４３２，１１５号（出願日：２０１１年１月１２日）、
米国仮特許出願第６１／４０５，１９４号（出願日：２０１０年１０月２０日）、及び米国仮特許出願第６１／４０９，６４５号（出願日：２０１０年１１月３日）の利益を主張するものである。
【０００２】
本開示は、概して、無線通信システムに関するものである。
【背景技術】
【０００３】
無線通信システムのために要求される帯域幅の増大化という課題に対処することを目的として、複数のユーザ端末が高いデータスループットを達成させつつチャネルリソースを共有することによって単一のアクセスポイントと通信するのを可能にするために異なる方式が開発されるようになってきている。多入力多出力（ＭＩＭＯ）技術が、次世代通信システムのための人気のある技法として最近出現してきた１つの代表的な手法である。ＭＩＭＯ技術は、幾つかの新興の無線通信規格、例えば、米国電気電子技術者学会（ＩＥＥＥ）８０２．１１規格、において採用されている。ＩＥＥＥ８０２．１１は、短距離通信（例えば、数十メートル乃至数百メートル）を担当するＩＥＥＥ８０２．１１委員会によって策定された一組のワイヤレスローカルエリアネットワーク（ＷＬＡＮ）エアインタフェース規格を表す。
【０００４】
ＭＩＭＯシステムは、データ送信のために複数（ＮＴ）の送信アンテナ及び複数（ＮＲ）の受信アンテナを採用する。ＮＴの送信アンテナ及びＮＲの受信アンテナによって形成されるＭＩＭＯチャネルは、空間チャネルとも呼ばれるＮＳの独立したチャネルに分解することができ、ここで、ＮＳ≦ｍｉｎ｛ＮＴ，ＮＲ｝である。ＮＳの独立したチャネルの各々は、１つの次元に対応する。ＭＩＭＯシステムは、複数の送信アンテナ及び受信アンテナによって形成された追加の次元が利用される場合に向上された性能（例えば、より高いスループット及び／又はより高い信頼性）を提供することができる。
【０００５】
単一のアクセスポイント（ＡＰ）及び複数のユーザ局（ＳＴＡ）を有する無線ネットワークでは、アップリンク方向及びダウンリンク方向の両方において、異なる局へ向けての複数のチャネルにおいて同時並行した送信が生じることができる。該システムには数多くの難題が存在する。
【発明の概要】
【０００６】
添付された請求項の適用範囲内のシステム、方法及びデバイスの様々な態様は、各々が幾つかの態様を有しており、いずれの単一の態様も、ここにおいて説明される望ましい属性を確保する役割を単独で果たしているわけではない。添付された請求項の適用範囲を限定することなしに、幾つかの顕著な特徴がここにおいて説明される。人は、この説明を検討後に、そして特に“発明を実施するための形態”という題名の部分を読んだ後に、様々な態様の特徴がページチャネルのモニタリング、等を管理するためにどのように用いられるかを理解するであろう。
【０００７】
本開示の幾つかの態様は、無線通信方法を提供する。方法は、制御フィールドを有する第１のフレームを受信することを備える。方法は、制御フィールドに少なくとも部分的に基づいて制御フィールドが第１のタイプを備えるか又は第２のタイプを備えるかを決定することを備える。方法は、決定されたタイプに基づいて制御フィールドを処理することを備える。
【０００８】
本開示の幾つか態様は、無線通信のための装置を提供する。装置は、制御フィールドを有する第１のフレームを受信するように構成された受信機を備える。装置は、処理システムを備える。処理システムは、制御フィールドに少なくとも部分的に基づいて制御フィールドが第１のタイプを備えるか又は第２のタイプを備えるかを決定するように構成される。処理システムは、決定されたタイプに基づいて制御フィールドを処理するように構成される。
【０００９】
本開示の幾つか態様は、無線通信のための装置を提供する。装置は、制御フィールドを有する第１のフレームを受信するための手段を備える。装置は、制御フィールドに少なくとも部分的に基づいて制御フィールドが第１のタイプを備えるか又は第２のタイプを備えるかを決定するための手段を備える。装置は、決定されたタイプに基づいて制御フィールドを処理するための手段を備える。
【００１０】
本開示の幾つかの態様は、コンピュータによって読み取り可能な媒体を備える無線で通信するためのコンピュータプログラム製品を提供する。コンピュータによって読み取り可能な媒体は、命令を備える。命令は、実行されたときに、制御フィールドを有する第１のフレームを受信することを装置に行わせる。命令は、実行されたときに、制御フィールドに少なくとも部分的に基づいて制御フィールドが第１のタイプを備えるか又は第２のタイプを備えるかを決定することを装置に行わせる。命令は、実行されたときに、決定されたタイプに基づいて制御フィールドを処理することを装置に行わせる。
【００１１】
本開示の幾つかの態様は、無線通信のためのユーザ端末を提供する。ユーザ端末は、アンテナを備える。ユーザ端末は、制御フィールドを有するフレームを、アンテナを介して、受信するように構成された受信機を備える。ユーザ端末は、処理システムを備える。処理システムは、制御フィールドに少なくとも部分的に基づいて制御フィールドが第１のタイプを備えるか又は第２のタイプを備えるかを決定するように構成される。処理システムは、決定されたタイプに基づいて制御フィールドを処理するように構成される。
【図面の簡単な説明】
【００１２】
本開示の特徴を詳細に理解できるようにすることを目的として、態様を参照することで上記において要約したより具体的な説明を行うことができ、それらの態様の一部は添付された図面において例示されている。しかしながら、添付された図面は、本開示の幾つかの典型的な態様のみを例示するにすぎず、従って、それの適用範囲を制限するものであるとみなされるべきではなく、説明は、その他の同等に有効な態様を含めることが可能である。
【図１】本開示の幾つかの態様による無線通信ネットワークの図である。
【図２】本開示の幾つかの態様によるアクセスポイント例及びユーザ端末例のブロック図である。
【図３】本開示の幾つかの態様による無線デバイス例のブロック図である。
【図４Ａ】本開示の幾つかの態様によるデータユニットの概略図である。
【図４Ｂ】図４Ａのデータユニットのヘッダを含むフレームの例を示した図である。
【図４Ｃ】図４Ａのデータユニットのヘッダのフレーム制御フィールドの例を示した図である。
【図４Ｄ】図４Ａのデータユニットのヘッダの制御フィールドの例を示した図である。
【図５Ａ】方法の実装のフローチャートである。
【図５Ｂ】方法の実装のフローチャートである。
【図６Ａ】方法の実装のフローチャートである。
【図６Ｂ】方法の実装のフローチャートである。
【図７Ａ】方法の実装のフローチャートである。
【図７Ｂ】少なくても４ビットであるインジケータを有するリンク適合化制御サブフィールドの例を示した図である。
【図８】方法の実装のフローチャートである。
【図９Ａ】方法の実装のフローチャートである。
【図９Ｂ】方法の実装のフローチャートである。
【図１０】典型的なチャネル状態情報（ＣＳＩ）フィードバックプロトコルを例示した図である。
【図１１】典型的なヌルデータパケットアナウンスメント（ＮＤＰＡ）フレームを例示した図である。
【図１２】本開示の幾つかの態様によるユーザ端末例のブロック図である。
【００１３】
共通の慣行により、図面において例示される様々な特徴は、原寸どおりに描かなくてもよい。従って、様々な特徴の寸法は、明確化することを目的として任意に拡大又は縮小することができる。さらに、図面の一部は、所定のシステム、方法又はデバイスのすべてのコンポーネントを描かないことがある。最後に、本明細書及び図全体を通じて類似の特徴を表すために類似の参照数字を用いることができる。
【発明を実施するための形態】
【００１４】
本開示の様々な態様が添付図を参照して以下においてさらに詳細に説明される。しかしながら、本開示は、数多くの異なる形態で具現化することができ、本開示全体を通じて提示されるいずれかの特定の構造又は機能に限定されるとは解釈されるべきでない。むしろ、これらの態様は、この開示が徹底的及び完全であり、さらに本開示の適用範囲を当業者に対して十分に伝達するようにするために提供される。ここにおける教示に基づき、本開示の適用範囲は、本開示のその他の態様とは無関係に実装されるか又は組み合わせて実装されるかにかかわらず、ここにおいて開示される本開示のあらゆる態様を網羅することが意図されることを当業者は評価すべきである。例えば、ここにおいて詳述される態様のうちのあらゆる数の態様を用いて装置を実装することができ又は方法を実践することができる。さらに、本開示の適用範囲は、ここにおいて詳述される本開示の様々な態様に加えての又はここにおいて詳述される本開示の様々な態様以外のその他の構造、機能、又は構造と機能を用いて実践される該装置又は方法を網羅することが意図される。ここにおいて開示される本開示のいずれの態様も、請求項の１つ以上の要素によって具現化することができることが理解されるべきである。
【００１５】
ここにおいては特定の態様が説明されるが、これらの態様の数多くの変形及び置換も本開示の適用範囲内である。好ましい態様の幾つかの利益及び利点が述べられているが、本開示の適用範囲は、特定の利益、用途又は目標に限定されることは意図されない。むしろ、本開示の態様は、異なる無線技術、システム構成、ネットワーク、及び送信プロトコルに対して広範囲に適用可能であることが意図されており、それらの一部は、図内及び好ましい態様に関する以下の説明において例として示される。詳細な発明を実施するための形態及び図面は、本開示を限定するのではなく単に例示するだけであるにすぎず、本開示の適用範囲は、添付された請求項及びそれらの同等物によって画定される。
【００１６】
ここにおいて説明される技法は、直交多重化方式に基づく通信システムを含む様々なブロードバンド無線通信システムのために用いることができる。該通信システムの例は、空間分割多元接続（ＳＤＭＡ）システムと、時分割多元接続（ＴＤＭＡ）システムと、直交周波数分割多元接続（ＯＦＤＭＡ）システムと、単一搬送波周波数分割多元接続（ＳＣ−ＦＤＭＡ）システムと、等を含む。ＳＤＭＡシステムは、複数のユーザ端末に属するデータを同時に送信するために十分に異なる方向を利用することができる。ＴＤＭＡシステムは、送信信号を異なるタイムスロットに分割することによって複数のユーザ端末が同じ周波数チャネルを共有するのを可能にすることができ、各タイムスロットは、異なるユーザ端末に割り当てられる。ＴＤＭＡシステムは、ＧＳＭ（登録商標）又は当業において知られる幾つかのその他の規格を実装することができる。ＯＦＤＭＡシステムは、全体的なシステム帯域幅を複数の直交副搬送波に分割する変調技法である直交周波数分割多重（ＯＦＤＭ）を利用する。これらの副搬送波は、トーン、ビン、等と呼ばれることもある。ＯＦＤＭの場合は、各副搬送波をデータとともに独立して変調することができる。ＯＦＤＭシステムは、は、ＩＥＥＥ８０２．１１又は当業において知られる幾つかのその他の規格を実装することができる。ＳＣ−ＦＤＭＡシステムは、システム帯域幅全体にわたって分布される副搬送波で送信するためにインターリービングされたＦＤＭＡ（ＩＦＤＭＡ）を利用すること、隣接する副搬送波のブロックで送信するためにローカライズされたＦＤＭＡ（ＬＦＤＭＡ）を利用すること、又は隣接する副搬送波から成る複数のブロックで送信するために拡張型ＦＤＭＡ（ＥＦＤＭＡ）を利用することができる。概して、変調シンボルは、ＯＦＤＭの場合は周波数領域で、ＳＣ−ＦＤＭＡの場合は時間領域で送信される。ＳＣ−ＦＤＭＡシステムは、３ＧＰＰ−ＬＴＥ（第３世代パートナーシッププロジェクトロングタームエボリューション）又は当業において知られる幾つかのその他の規格を実装することができる。
【００１７】
ここにおける教示は、様々な有線又は無線の装置（例えば、ノード）内に組み入れる（例えば、様々な有線又は無線の装置（例えば、ノード）内に実装する又は様々な有線又は無線の装置（例えば、ノード）によって実行する）ことができる。幾つかの態様においては、ここにおける教示により実装される無線ノードは、アクセスポイント又はアクセス端末を備えることができる。
【００１８】
アクセスポイント（“ＡＰ”）は、ＮｏｄｅＢ、無線ネットワークコントローラ（“ＲＮＣ”）、ｅＮｏｄｅＢ、基地局コントローラ（“ＢＳＣ”）、ベーストランシーバ局（“ＢＴＳ”）、基地局（“ＢＳ”）、トランシーバ機能（“ＴＦ”）、無線ルータ、無線トランシーバ、ベーシックサービスセット（“ＢＳＳ”）、拡張サービスセット（“ＥＳＳ”）、無線基地局（“ＲＢＳ”）、又はその他の用語を備えること、ＮｏｄｅＢ、無線ネットワークコントローラ（“ＲＮＣ”）、ｅＮｏｄｅＢ、基地局コントローラ（“ＢＳＣ”）、ベーストランシーバ局（“ＢＴＳ”）、基地局（“ＢＳ”）、トランシーバ機能（“ＴＦ”）、無線ルータ、無線トランシーバ、ベーシックサービスセット（“ＢＳＳ”）、拡張サービスセット（“ＥＳＳ”）、無線基地局（“ＲＢＳ”）、又はその他の用語として実装すること、又は、ＮｏｄｅＢ、無線ネットワークコントローラ（“ＲＮＣ”）、ｅＮｏｄｅＢ、基地局コントローラ（“ＢＳＣ”）、ベーストランシーバ局（“ＢＴＳ”）、基地局（“ＢＳ”）、トランシーバ機能（“ＴＦ”）、無線ルータ、無線トランシーバ、ベーシックサービスセット（“ＢＳＳ”）、拡張サービスセット（“ＥＳＳ”）、無線基地局（“ＲＢＳ”）、又は何らかのその他の用語で呼ぶことができる。
【００１９】
アクセス端末（“ＡＴ”）は、アクセス端末、加入者局、加入者ユニット、移動局、遠隔局、遠隔端末、ユーザ端末、ユーザエージェント、ユーザデバイス、ユーザ装置、ユーザ局、又は何らかのその他の用語を備えること、アクセス端末、加入者局、加入者ユニット、移動局、遠隔局、遠隔端末、ユーザ端末、ユーザエージェント、ユーザデバイス、ユーザ装置、ユーザ局、又は何らかのその他の用語として実装すること、又は、アクセス端末、加入者局、加入者ユニット、移動局、遠隔局、遠隔端末、ユーザ端末、ユーザエージェント、ユーザデバイス、ユーザ装置、ユーザ局、又は何らかのその他の用語で呼ぶことができる。幾つかの実装においては、アクセス端末は、携帯電話、コードレスフォン、セッション開始プロトコル（“ＳＩＰ”）フォン、ワイヤレスローカルループ（“ＷＬＬ”）局、パーソナルデジタルアシスタント（“ＰＤＡ”）、無線接続能力を有するハンドヘルドデバイス、局（“ＳＴＡ”）、又は無線モデムに接続された何らかのその他の適切な処理デバイスを備えることができる。従って、ここにおいて教示される１つ以上の態様は、無線又は有線媒体を介して通信するように構成される電話（例えば、携帯電話又はスマートフォン）、コンピュータ（例えば、ラップトップ）、ポータブル通信デバイス、ポータブル計算デバイス（例えば、パーソナルデータアシスタント）、娯楽デバイス、（例えば、音楽又は映像デバイス、又は衛星無線）、全地球測位システムデバイス、又はあらゆるその他の適切なデバイス内に組み入れることができる。幾つかの態様においては、ノードは、無線ノードである。該無線ノードは、例えば、有線又は無線通信リンクを介してネットワーク（例えば、ワイドエリアネットワーク、例えば、インターネット又はセルラーネットワーク）のための又はネットワーク（例えば、ワイドエリアネットワーク、例えば、インターネット又はセルラーネットワーク）への接続性を提供することができる。
【００２０】
幾つかの態様においては、ここにおける教示は、マクロ規模のカバレッジ（例えば、大きなエリアのセルラーネットワーク、例えば、３Ｇネットワークであり、典型的にはマクロセルネットワークと呼ばれる）と、それよりも小規模なカバレッジ（例えば、住宅に基づく又は建物に基づくネットワーク環境）と、を含むネットワークにおいて採用することができる。ＡＴ又はＵＥが該ネットワーク内を移動するのに応じて、アクセス端末には、マクロカバレッジを提供するＡＮによって幾つかの位置においてサービスを提供することができ、他方、アクセス端末には、より小規模なカバレッジを提供するアクセスノードによってその他の位置でサービスを提供することができる。幾つかの態様においては、より小規模なカバレッジのノードは、（例えば、よりロバストなユーザ経験のための）増分的な能力増大、建物内カバレッジ、及び異なるサービスを提供するために用いることができる。ここにおける説明では、相対的に大きなエリアにわたってカバレッジを提供するノードは、マクロノードと呼ぶことができる。相対的に小さいエリア（例えば、住居）にわたってカバレッジを提供するノードは、フェムトノードと呼ぶことができる。マクロエリアよりも小さく、フェムトエリアよりも大きいエリアにわたってカバレッジを提供するノードは、（例えば、商業ビル内でカバレッジを提供する）ピコノードと呼ぶことができる。
【００２１】
マクロノード、フェムトノード、又はピコノードと関連付けられたセルは、それぞれマクロセル、フェムトセル、又はピコセルと呼ぶことができる。幾つかの実装においては、各セルは、１つ以上のセクタとさらに関連付ける（１つ以上のセクタに分割する）ことができる。
【００２２】
様々な用途においては、マクロノード、フェムトノード、ピコノードに言及するためにその他の用語を用いることができる。例えば、マクロノードは、アクセスノード、基地局、アクセスポイント、ｅＮｏｄｅ、マクロセル、等として構成することができ又はアクセスノード、基地局、アクセスポイント、ｅＮｏｄｅ、マクロセル、等と呼ばれることがある。さらに、フェムトノードは、Ｈｏｍｅ  ＮｏｄｅＢ（ＨＮＢ）、Ｈｏｍｅ  ｅＮｏｄｅ（ＨｅＮＢ）、アクセスポイント基地局、フェムトセル、等として構成することができ又はＨｏｍｅ  ＮｏｄｅＢ（ＨＮＢ）、Ｈｏｍｅ  ｅＮｏｄｅ（ＨｅＮＢ）、アクセスポイント基地局、フェムトセル、等と呼ばれることがある。
【００２３】
図１は、アクセスポイント及びユーザ端末を有する多元接続、多入力多出力（ＭＩＭＯ）システム１００を例示する。簡素化を目的として、図１には１つのアクセスポイント１１０のみが示される。アクセスポイントは、概して、ユーザ端末と通信する固定局であり及び基地局又は何らかのその他の用語で呼ばれることもある。ユーザ端末は、固定型又は移動型であることができ、移動局、無線デバイス又は何らかのその他の用語で呼ばれることもある。アクセスポイント１１０は、ダウンリンク及びアップリンクにおいてあらゆる所定の時間に１つ以上のユーザ端末１２０と通信することができる。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末は、他のユーザ端末とピア・ツー・ピアで通信することもできる。システムコントローラ１３０は、アクセスポイントに結合し、アクセスポイントに関する調整及び制御を提供する。
【００２４】
次の開示の幾つかの部分は、空間分割多元接続（ＳＤＭＡ）を介して通信することが可能なユーザ端末１２０について説明するが、幾つかの態様に関しては、ユーザ端末１２０は、ＳＤＭＡをサポートしない幾つかのユーザ端末を含むこともできる。従って、該態様に関しては、ＡＰ１１０は、ＳＤＭＡ及び非ＳＤＭＡの両方のユーザ端末と通信するように構成することができる。このアプローチ法は、ユーザ端末の旧バージョン（“レガシー”局）が企業（ｅｎｔｅｒｐｒｉｓｅ）内に引き続き配備されて有効寿命を延ばすのを都合良く可能にし、その一方で、より新規のＳＤＭＡユーザ端末が適切であるとみなされるのに応じて導入されるのを可能にすることができる。
【００２５】
システム１００は、ダウンリンク及びアップリンクでのデータ送信のために複数の送信アンテナ及び複数の受信アンテナを採用する。アクセスポイント１１０は、Ｎａｐ本のアンテナを装備し、ダウンリンク送信のための多入力（ＭＩ）及びアップリンク送信のための多出力（ＭＯ）を表す。Ｋの選択されたユーザ端末１２０の組は、全体で、ダウンリンク送信のための多出力及びアップリンク送信のための多入力を表す。純粋なＳＤＭＡの場合は、Ｋのユーザ端末のためのデータシンボルストリームが何らかの手段によって符号、周波数又は時間で多重化されない場合はＮａｐ≧Ｋ≧１であることが望まれる。Ｋは、データシンボルストリームがＴＤＭＡ技法、ＣＤＭＡの場合は異なる符号チャネル、ＯＦＤＭの場合はサブバンドの互いに切り離された組、以下同様、を用いて多重化することができる場合に、Ｎａｐよりも大きいことができる。各々の選択されたユーザ端末は、各々のユーザごとのデータをアクセスポイントに送信し及び／又は各々のユーザごとのデータをアクセスポイントから受信する。概して、各々の選択されたユーザ端末は、１本の又は複数のアンテナを装備することができる（すなわち、Ｎｕｔ≧１）。Ｋの選択されたユーザ端末は、同じ又は異なる数のアンテナを有することができる。
【００２６】
ＳＤＭＡシステム１００は、時分割複信（ＴＤＤ）システム又は周波数分割複信（ＦＤＤ）システムであることができる。ＴＤＤシステムに関しては、ダウンリンク及びアップリンクは、同じ周波数帯域を共有する。ＦＤＤシステムに関しては、ダウンリンク及びアップリンクは、異なる周波数帯域を用いる。
【００２７】
ＭＩＭＯシステム１００は、単一搬送波又は多搬送波を送信のために利用することもできる。各ユーザ端末は、単一のアンテナ（例えば、コスト削減のため）又は複数のアンテナ（例えば、追加コストをサポートできる場合）を装備することができる。システム１００は、送信／受信を異なるタイムスロットに分割することによってユーザ端末１２０が同じ周波数チャネルを共有する場合はＴＤＭＡシステムであることもでき、各タイムスロットは、異なるユーザ端末１２０に割り当てられる。
【００２８】
図２は、ＭＩＭＯシステム１００内のアクセスポイント１１０及び２つのユーザ端末１２０ｍ及び１２０ｘのブロック図を例示する。アクセスポイント１１０は、Ｎｔ本のアンテナ２２４ａ乃至２２４ｔを装備する。ユーザ端末１２０ｍは、Ｎｕｔ，ｍ本のアンテナ２５２ｍａ乃至２５２ｍｕを装備し、ユーザ端末１２０ｘは、Ｎｕｔ，ｘ本のアンテナ２５２ｘａ乃至２５２ｘｕを装備する。アクセスポイント１１０は、ダウンリンクに関しては送信エンティティ、アップリンクに関しては受信エンティティである。各ユーザ端末１２０は、アップリンクに関しては送信エンティティ、ダウンリンクに関しては受信エンティティである。ここで用いられる場合において、“送信エンティティ”は、無線チャネルを介してデータを送信することが可能な独立して操作される装置又はデバイスであり、“受信エンティティ”は、無線チャネルを介してデータを受信することが可能な独立して操作される装置又はデバイスである。次の説明では、下付文字“ｄｎ”は、ダウンリンクを表し、下付文字“ｕｐ”は、アップリンクを表し、Ｎｕｐのユーザ端末がアップリンクでの同時送信のために選択され、Ｎｄｎのユーザ端末がダウンリンクでの同時送信のために選択され、Ｎｕｐは、Ｎｄｎと等しいこと又は等しくないことができ、Ｎｕｐ及びＮｄｎは、静的な値であることができ又は各スケジューリング間隔のために変化することができる。アクセスポイント及びユーザ端末では、ビームステアリング又は何らかのその他の空間処理技法を用いることができる。
【００２９】
アップリンクにおいて、アップリンク送信のために選択された各ユーザ端末１２０では、ＴＸデータプロセッサ２８８は、データソース２８６からトラフィックデータを及びコントローラ２８０から制御データを受信する。ＴＸデータプロセッサ２８８は、ユーザ端末のために選択されたレートと関連付けられたコーディング方式及び変調方式に基づいてユーザ端末のためにトラフィックデータを処理（例えば、符号化、インターリービング、及び変調）し、データシンボルストリームを提供する。ＴＸ空間プロセッサ２９０は、データシンボルストリームに対して空間処理を行い、Ｎｕｔ，ｍ本のアンテナに関してＮｕｔ，ｍの送信シンボルストリームを提供する。各送信機ユニット（ＴＭＴＲ）２５４は、各々の送信シンボルストリームを受信及び処理（例えば、アナログに変換、増幅、フィルタリング、及び周波数アップコンバージョン）してアップリンク信号を生成する。Ｎｕｔ，ｍの送信機ユニット２５４は、Ｎｕｔ，ｍ本のアンテナからアクセスポイントへの送信のためにＮｕｔ，ｍのアップリンク信号を提供する。
【００３０】
Ｎｕｐのユーザ端末は、アップリンクでの同時送信のためにスケジューリングすることができる。これらのユーザ端末の各々は、それのデータシンボルストリームに対して空間処理を行い、送信シンボルストリームの組をアップリンクでアクセスポイントに送信する。
【００３１】
アクセスポイント１１０において、Ｎａｐ本のアンテナ２２４ａ乃至２２４ａｐが、アップリンクで送信中のすべてのＮｕｐのユーザ端末からアップリンク信号を受信する。各アンテナ２２４は、各々の受信機ユニット（ＲＣＶＲ）２２２に受信された信号を提供する。各受信機ユニット２２２は、送信機ユニット２５４によって行われる処理を補完するそれを行い、受信されたシンボルストリームを提供する。ＲＸ空間プロセッサ２４０は、Ｎａｐの受信機ユニット２２２からのＮａｐの受信されたシンボルストリームに対して受信機空間処理を行い、Ｎｕｐの復元されたアップリンクデータシンボルストリームを提供する。受信機空間処理は、チャネル相関行列反転（ＣＣＭＩ）、最小平均二乗誤差（ＭＭＳＥ）、ソフト干渉キャンセル（ＳＩＣ）、又は何らかのその他の技法により行われる。各々の復元されたアップリンクデータシンボルストリームは、各々のユーザ端末によって送信されたデータシンボルストリームの推定である。ＲＸデータプロセッサ２４２は、各々の復元されたアップリンクデータシンボルストリームのために用いられたレートによりそのストリームを処理（例えば、復調、デインターリービング、及び復号）して復号されたデータを入手する。各ユーザ端末のための復号されたデータは、格納のためにデータシンク２４４に及び／又はさらなる処理のためにコントローラ２３０に提供することができる。
【００３２】
ダウンリンクにおいて、アクセスポイント１１０では、ＴＸデータプロセッサ２１０は、ダウンリンク送信のためにスケジューリングされたＮｄｎのユーザ端末のためにデータソース２０８からトラフィックデータを、コントローラ２３０から制御データを、及び可能場合はスケジューラ２３４からその他のデータを受信する。様々なタイプのデータを異なる転送チャネルで送信することができる。ＴＸデータプロセッサ２１０は、各ユーザ端末のために選択されたレートに基づいてそのユーザ端末のためにデータトラフィックを処理（例えば、符号化、インターリービング、及び変調）する。ＴＸデータプロセッサ２１０は、Ｎｄｎのユーザ端末のためにＮｄｎのダウンリンクデータシンボルストリームを提供する。ＴＸ空間プロセッサ２２０は、Ｎｄｎのダウンリンクデータシンボルストリームに対して空間処理（例えば、本開示において説明される、プリコーディング又はビーム形成）を行い、Ｎａｐ本のアンテナのためにＮａｐの送信シンボルストリームを提供する。各送信機ユニット２２２は、各々の送信シンボルストリームを受信及び処理してダウンリンク信号を生成する。Ｎａｐの送信機ユニット２２２は、Ｎａｐ本のアンテナ２２４からユーザ端末への送信のためにＮａｐのダウンリンク信号を提供する。
【００３３】
各ユーザ端末１２０において、Ｎｕｔ，ｍ本のアンテナ２５２は、アクセスポイント１１０からＮａｐのダウンリンク信号を受信する。各受信機ユニット２５４は、関連付けられたアンテナ２５２からの受信された信号を処理し、受信されたシンボルストリームを提供する。ＲＸ空間プロセッサ２６０は、Ｎｕｔ，ｍの受信機ユニット２５４からのＮｕｔ，ｍの受信されたシンボルストリームに対して受信機空間処理を行い、ユーザ端末のために復元されたダウンリンクデータシンボルストリームを提供する。受信機空間処理は、ＣＣＭＩ、ＭＭＳＥ又は何らかのその他の技法により行われる。ＲＸデータプロセッサ２７０は、復元されたダウンリンクデータシンボルストリームを処理（例えば、復調、デインターリービング、及び復号）してユーザ端末のための復号されたデータを入手する。
【００３４】
各ユーザ端末１２０において、チャネル推定器２７８は、ダウンリンクチャネル応答を推定し、ダウンリンクチャネル推定値を提供し、それらは、チャネル利得推定値、ＳＮＲ推定値、雑音分散、等を含むことができる。同様に、チャネル推定器２２８は、アップリンクチャネル応答を推定し、アップリンクチャネル推定値を提供する。各ユーザ端末のためのコントローラ２８０は、典型的には、ユーザ端末のためのダウンリンクチャネル応答行列Ｈｄｎ，ｍに基づいてそのユーザ端末のための空間フィルタ行列を導き出す。コントローラ２３０は、有効なアップリンクチャネル応答行列Ｈｕｐ，ｅｆｆに基づいてアクセスポイントのための空間フィルタ行列を導き出す。各ユーザ端末のためのコントローラ２８０は、アクセスポイントにフィードバック情報（例えば、ダウンリンク及び／又はアップリンク固有ベクトル、固有値、ＳＮＲ推定値、等）を送信することができる。コントローラ２３０及び２８０は、アクセスポイント１１０及びユーザ端末１２０においてそれぞれ様々な処理ユニットの動作も制御する。
【００３５】
図３は、無線通信システム１００内で採用することができる無線デバイス３０２において利用可能な様々なコンポーネントを例示する。無線デバイス３０２は、ここにおいて説明される様々な方法を実装するように構成することができるデバイスの一例である。無線デバイス３０２は、基地局１０４又はユーザ端末１０６であることができる。
【００３６】
無線デバイス３０２は、無線デバイス３０２の動作を制御するプロセッサ３０４を含むことができる。プロセッサ３０４は、中央処理装置（ＣＰＵ）と呼ばれることもある。メモリ３０６は、読取専用メモリ（ＲＯＭ）及びランダムアクセスメモリ（ＲＡＭ）の両方を含むことができ、プロセッサ３０４に命令及びデータを提供する。メモリ３０６の一部分は、非揮発性ランダムアクセスメモリ（ＮＶＲＡＭ）を含むこともできる。プロセッサ３０４は、典型的には、メモリ３０６内に格納されたプログラム命令に基づいて論理演算及び算術演算を行う。メモリ３０６内の命令は、ここにおいて説明される方法を実装するために実行可能である。
【００３７】
無線デバイス３０２は、無線デバイス３０２と遠隔位置との間でのデータの送信及び受信を可能にする送信機３１０と受信機３１２とを含むことができるハウジング３０８を含むこともできる。送信機３１０及び受信機３１２は、トランシーバ３１４として結合することができる。単一の又は複数の送信アンテナ３１６をハウジング３０８に取り付けることができ及びトランシーバ３１４に電気的に結合することができる。無線デバイス３０２は、複数の送信機と、複数の受信機と、複数のトランシーバとを含むこともできる（示されていない）。
【００３８】
無線デバイス３０２は、トランシーバ３１４によって受信された信号のレベルを検出及び定量化するために使用することができる信号検出器３１８を含むこともできる。信号検出器３１８は、総エネルギー、シンボル当たりの副搬送波当たりのエネルギー、電力スペクトル密度及びその他の信号、等の信号を検出することができる。無線デバイス３０２は、信号を処理する際に用いるためのデジタル信号プロセッサ（ＤＳＰ）３２０を含むこともできる。
【００３９】
無線デバイス３０２の様々なコンポーネントは、バスシステム３２２によってまとめて結合することができ、それは、データバスに加えて、電力バスと、制御信号バスと、状態信号バスと、を含むこともできる。
【００４０】
図１において例示される無線システム１００は、ＩＥＥＥ８０２．１１ａｃ無線通信規格により動作することができる。ＩＥＥＥ８０２．１１ａｃは、ＩＥＥＥ８０２．１１無線ネットワークにおいてより高いスループットを考慮した新しいＩＥＥＥ８０２．１１修正版である。より高いスループットは、幾つかの措置、例えば、一度に複数の局（ＳＴＡ）への並行送信、を通じて、又は、より広いチャネル帯域幅（例えば、８０ＭＨｚ又は１６０ＭＨｚ）を用いることによって、実現させることができる。ＩＥＥＥ８０２．１１ａｃは、超高スループット（ＶＨＴ）無線通信規格とも呼ばれる。
【００４１】
図４Ａは、本開示の幾つかの態様によるデータユニット４００の概略図である。幾つかの態様においては、データユニット４００は、図１の無線通信システム１００においてデバイス、例えばアクセスポイント１１０及びユーザ端末１２０、の間で送信することができる物理層プロトコルデータユニット（ＰＰＤＵ）であることができる。データユニット４００は、物理層（ＰＨＹ）部分４０１と、メディアアクセス制御（ＭＡＣ）ヘッダ４０２と、を含む。ＭＡＣヘッダ４０２には本体部分又はＭＡＣフレーム本体（示されていない）が後続することができる。ＭＡＣヘッダ４０２内には、２つのタイプ（“フォーマット”とも呼ばれる）のうちの少なくとも１つであることができるフレーム制御フィールド４０３及び任意選択の制御フィールド４０４が存在する。例えば、一実装においては、制御フィールド４０４は、超高スループット（ＶＨＴ）制御フィールドであり、他においては、制御フィールド４０４は、高スループット（ＨＴ）制御フィールドである。幾つかの実装においては、制御フィールド４０４は、データユニットごとに基づいて、ＶＨＴ制御フィールド及びＨＴ制御フィールドのうちの１つであるように設定される。さらに、データユニット４００を受信するデバイスは、どのタイプの制御フィールド（例えば、ＨＴ又はＶＨＴ）がＭＡＣヘッダ４０２内に含まれているかに基づいてデータユニット４００を処理することができる。従って、１つの制御フィールドが存在する場合は、いずれのタイプの（ＶＨＴ又はＨＴ）制御フィールドが存在するかを決定するという難題が存在する。
【００４２】
図４Ｂは、図４ＡのＭＡＣヘッダ４０２を含むＭＡＣフレーム５００の例を示す。ＭＡＣフレーム５００は、ＭＡＣヘッダ４０２を含む。最初の３つのフィールド（フレーム制御フィールド４０３、継続時間／ＩＤフィールド５０４、及びアドレス１フィールド５０６）及び最後のフィールド（フレーム検査シーケンス（ＦＣＳ）フィールド５０８）は、ＭＡＣフレーム５００の最低限のフレームフォーマットを構成し、すべてのＭＡＣフレーム内に存在する。以下において例示される残りのフィールド（アドレス２フィールド５１１、アドレス３フィールド５１２、シーケンス制御フィールド５１３、アドレス４フィールド５１４、ＱｏＳ制御フィールド５１５、制御フィールド４０４、及びフレーム本体５２２）は、一定のフレームタイプ及びサブタイプのみに存在する。制御フィールド４０４は、以下において例示される態様においてはＨＴ制御フィールドのラベルが付されているが、ＨＴ制御フィールド４０４は、ＨＴとして又はＶＨＴとしてフォーマット化することができる。
【００４３】
図４Ｃは、図４ＡのＭＡＣヘッダ４０２のフレーム制御フィールド４０３の例を示す。フレーム制御フィールド４０３は、２ビットを備えるプロトコルバージョンサブ−サブフィールド４０２と、２ビットを備えるタイプサブフィールドと、４ビットを備えるサブタイプサブフィールドと、１ビットを備えるｔｏ  ｄｓ（ｄｓへ）サブフィールドと、１ビットを備えるｆｒｏｍ  ｄｓ（ｄｓから）サブフィールドと、１ビットを備えるｍｏｒｅ  ｆｒａｇ（さらなるフラグメント）サブフィールドと、１ビットを備えるｒｅｔｒｙ（再試行）サブフィールドと、１ビットを備えるｐｏｗｅｒ  ｍａｎａｇｅｍｅｎｔ（電力管理）サブフィールドと、１ビットを備えるｍｏｒｅ  ｄａｔａ（さらなるデータ）サブフィールドと、１ビットを備えるｐｒｏｔｅｃｔｅｄ  ｆｒａｍｅ（保護されたフレーム）サブフィールドと、１ビットを備えるｏｒｄｅｒ（オーダー）サブフィールドと、を含む。フレーム制御フィールド４０３内の最後のサブフィールドは、１ビットを含むオーダーフィールド（ｏｒｄｅｒ  ｆｉｅｌｄ）６０２を備える。オーダーフィールド６０２は、オーダービットと呼ばれることもある。データユニット４００がＨＴ又はＶＨＴデータユニットであるときは、オーダービット６０２は、制御フィールド４０４がＭＡＣヘッダ４０２（従って、ＭＡＣフレーム５００及びデータユニット４００）内に存在するかどうかを示す。オーダービット６０２が“１”に設定される場合は、制御フィールド４０４が存在する。オーダービット６０２が“０”に設定される場合は、制御フィールド４０４は存在しない。
【００４４】
ノードが、制御フィールド４０４が存在するかどうかを決定するためにオーダービット６０２を評価する前に、ノードは、データユニット４００がＨＴデータユニットであるか又はＶＨＴデータユニットであるかを最初に決定することができる。幾つかの態様においては、この決定は、データユニット４００のＰＨＹ部分４０１内のＴＸＶＥＣＴＯＲに基づく。
【００４５】
図４Ｄは、図４ＡのＭＡＣヘッダ４０２の制御フィールド４０４の例を示す。制御フィールドは、サブフィールド７０４がＨＴフォーマットを有するか又はＶＨＴフォーマットを有するかを示すＶＨＴフィールド７０２を含む。ＶＨＴフィールド７０２が“０”に設定されているときには、ＨＴフォーマットがサブフィールド７０４のために用いられる。しかしながら、ＶＨＴフィールド７０２が“１”に設定されているときには、サブフィールド７０４はＶＨＴフォーマットを有する。幾つかの態様においては、ＶＨＴフィールド７０２は、制御フィールド４０４内において予約されたビットを備える。幾つかの態様においては、予約されたビットは、制御フィールド４０４内において第１のビットを備える。幾つかの態様においては、以下において説明されるように変調コーディング方式（ＭＣＳ）フィードバック（ＭＦＢ）を求める要請に応答して該フィードバックがサブフィールド７０４において示される。
【００４６】
他の態様においては、制御フィールド４０４は、１６ビットであることができるリンク適合化制御サブフィールド、１４ビットであることができる予約されたサブフィールド、１ビットであることができるＡＣ制約サブフィールド、及び１ビットであることができる逆方向許可（ｒｅｖｅｒｓｅ  ｄｉｒｅｃｔｉｏｎ  ｇｒａｎｔ）（ＲＤＧ）サブフィールドのうちの少なくとも１つを含む。予約されたサブフィールドは、１つ以上の追加のサブフィールドを備えることができる。
【００４７】
図５Ａは、制御フィールドが存在するかどうか及びそのタイプを決定する方法の実装のフローチャートである。ブロック５Ａ−１によって表されるように、方法は、受信されたデータユニットのタイプを決定することを含む。ブロック５Ａ−２によって表されるように、方法は、データユニットタイプがＶＨＴ又はＨＴのいずれであるかを決定することを含む。データユニットタイプがＨＴ（５Ａ−２からのＨＴ経路）である場合は、ブロック５Ａ−３によって表されるように、方法は、データユニット内においてオーダービットの構文解析をすることを含む。オーダービットが設定されていない場合は（５Ａ−３からのいいえ経路）、データユニット内にはＶＨＴ制御フィールド又はＨＴ制御フィールドのいずれの制御フィールドも存在しない。他方、オーダービットが設定されている場合は（５Ａ−３からのはい経路）、ブロック５Ａ−５によって表されるようにＨＴ制御フィールドが存在する。
【００４８】
ブロック５Ｂ−２を再度参照し、データユニットタイプがＶＨＴ（５Ｂ−２からのＶＨＴ経路）である場合は、ブロック５Ｂ−３によって表されるように、方法は、データユニット内のオーダービットを構文解析することを含む。オーダービットが設定されていない場合は（５Ａ−６からのいいえ経路）、ブロック５Ａ−４によって表されるようにデータユニット内にはＶＨＴ制御フィールド又はＨＴ制御フィールドのいずれの制御フィールドも存在しない。他方、オーダービットが設定されている場合は（５Ａ−６からのはい経路）、ブロック５Ａ−７によって表されるようにＶＨＴ制御フィールドが存在する。
【００４９】
図５Ｂは、制御フィールドが存在するかどうか及びそのタイプを決定する他の方法の実装のフローチャートである。ブロック５Ｂ−１によって表されるように、方法は、データユニットを受信することを含む。ブロック５Ｂ−２によって表されるように、方法は、データユニット内のオーダービットを構文解析することを含む。オーダービットが設定されていない場合は（５Ｂ−２からのいいえ経路）、データユニット内にはＶＨＴ制御フィールド又はＨＴ制御フィールドのいずれの制御フィールドも存在しない。他方、オーダービットが設定されている場合は（５Ｂ−２からのはい経路）、データユニット内にはＶＨＴ制御フィールド又はＨＴ制御フィールドのいずれかの制御フィールドが存在する。ブロック５Ｂ−４によって表されるように、方法は、予約されたビットに関して制御フィールドを構文解析することを含む。予約されたビットが設定されていない場合は（５Ｂ−５からのいいえ経路）、ブロック５Ｂ−６によって表されるように、方法は、制御フィールドがＨＴ制御フィールドであると決定することを含む。他方、予約されたビットが設定されている場合（５Ｂ−５からのはい経路）、ブロック５Ｂ−７によって表されるように、方法は、制御フィールドがＶＨＴ制御フィールドであると決定することを含む。
【００５０】
図６Ａは、アクセス端末からアクセスポイントに変調コーディング方式（ＭＣＳ）インジケータを通信する方法の実装のフローチャートである。ブロック６Ａ−１によって表されるように、方法は、アクセスポイント又は他のアクセス端末からフレームを受信することを含む。ブロック６Ａ−２によって表されるように、方法は、フレームタイプを決定することを含む。ブロック６Ａ−３によって表されるように、方法は、フレームタイプに少なくとも部分的に基づいてＭＣＳを決定することを含む。ブロック６Ａ−４によって表されるように、方法は、決定されたＭＣＳのインジケータを送信することを含む。
【００５１】
図６Ｂは、アクセス端末からアクセスポイントに変調コーディング方式（ＭＣＳ）インジケータを通信する方法の実装のフローチャートである。ブロック６Ｂ−１によって表されるように、方法は、フレームを受信することを含む。ブロック６Ｂ−１によって表されるように、方法は、フレームが要求を含むかどうかを決定することを含む。フレームが要求を含む場合は（６Ｂ−２からのはい経路）、ブロック６Ｂ−３によって表されるように、方法は、シーケンス番号を求める要求を構文解析することを含む。ブロック６Ｂ−４によって表されるように、方法は、シーケンス番号からＭＣＳを決定することを含む。ブロック６Ｂ−５によって表されるように、方法は、アクセスポイントにＭＣＳのインジケータを送信することを含む。
【００５２】
ブロック６Ｂ−２を再度参照し、フレームが要求を含む場合は（６Ｂ−２からのはい経路）、ブロック６Ｂ−６によって表されるように、方法は、直近の通信からＭＣＳを決定することを含む。ブロック６Ｂ−７によって表されるように、方法は、ＭＣＳ報告がアクセスポイントによって要請されていないことを示すための予約されたシーケンス番号を設定することを含む。
【００５３】
図７Ａは、受信されたフレームのＭＣＳタイプを決定する方法の実装のフローチャートである。ブロック７−１によって表されるように、方法は、ＶＨＴ制御フィールドを有するフレームを受信することを含む。ブロック７−２によって表されるように、方法は、リンク適合化制御サブフィールドを識別するためにＶＨＴ制御フィールドを構文解析することを含む。
【００５４】
ブロック７−３によって表されるように、方法は、サブフィールドの値が“００”であるかどうかを決定することを含む。サブフィールドの値が“００”である場合は、ブロック７−４によって表されるように、方法は、ＭＣＰタイプがオープンループ（ＯＬ）ＭＩＭＯであると決定することを含む。
【００５５】
ブロック７−５によって表されるように、方法は、サブフィールドの値が“０１”であるかどうかを決定することを含む。サブフィールドの値が“０１”である場合は、ブロック７−６によって表されるように、方法は、ＭＣＳタイプが送信ビーム形成（ＴｘＢＦ）であると決定することを含む。
【００５６】
ブロック７−７によって表されるように、方法は、サブフィールドの値が“１０”であるかどうかを決定することを含む。サブフィールドの値が“１０”である場合は、ブロック７−８によって表されるように、方法は、ＭＣＳタイプがマルチユーザ（ＭＵ）ＭＩＭＯであると決定することを含む。
【００５７】
ブロック７−９によって表されるように、方法は、サブフィールドの値が“１１”であるかどうかを決定することを含む。サブフィールドの値が“１１”でない場合は、ブロック７−１０によって表されるように、方法は、サブフィールドを予約された値として取り扱うことを含む。サブフィールドの値が“１１”でない場合は、ブロック７−１１によって表されるように、方法は、誤りを報告することを含む。
【００５８】
他の実装においては、ＶＨＴ制御フィールドは、少なくとも４ビットであるインジケータを有するリンク適合化制御サブフィールドを含む。図７Ｂは、リンク適合化制御サブフィールド７５０の４ビットをインジケータとして使用することができるリンク適合化制御サブフィールド７５０の例を示す。リンク適合化制御サブフィールド７５０は、１ビットを備えるＲＳＶＤフィールド７５２を含み、１ビットを備えるＭＦＳＩ＿Ｌフィールド７５４によって後続され、４ビットを備えるＭＡＩフィールド７５６によって後続され、３ビットを備えるＭＦＳＩ＿Ｈフィールド７５８によって後続され、７ビットを備えるＭＦＢ／ＡＳＥＬＣフィールド７６０によって後続される。インジケータを構成するリンク適合化制御サブフィールド７５０の４ビットは、リンク適合化制御サブフィールド７５０の第２、第７、第８及び第９のビットであることができる。示されるように、第２のビットは、ＭＦＳＩ＿Ｌフィールド７５４であり、インジケータの第７、第８及び第９のビットは、ＭＦＳＩ＿Ｈフィールド７５８である。４ビットインジケータの値は、ＭＣＳタイプ、等の情報を通信するために用いることができる。例えば、一実装においては、ＭＣＳタイプがＯＬ  ＭＩＭＯを備えることを示すために“１１００”のインジケータ値を用いることができる。さらに、ＭＣＳタイプがオープンＴｘＢＦを備えることを示すために“１００１”のインジケータ値を用いることができる。さらに、ＭＣＳタイプがＭＵ  ＭＩＭＯを備えることを示すために“１０１０”のインジケータ値を用いることができる。さらに、“１０１１”乃至“１１１１”の値のうちの少なくとも一部を予約されたインジケータシーケンスとして利用することができ、それらのうちの１つ以上は、その他の情報を表すためにのちに用いることができる。
【００５９】
図８は、無線チャネルの特徴を表す少なくとも１つのパラメータの測定を要求するようにアクセスポイントにプロンプトする方法の実装のフローチャートであり、それは、アクセス端末によって行うことができる。ブロック８−１によって表されるように、方法は、更新状態を決定することを含む。ブロック８−２によって表されるように、方法は、アクセスポイントに更新状態インジケータを送信することを含む。ブロック８−３によって表されるように、方法は、無線チャネルの特徴を表す少なくとも１つのパラメータの測定要求を受信することを含む。ブロック８−４によって表されるように、方法は、測定を行うことを含む。ブロック８−５によって表されるように、方法は、測定値を示す値を送信することを含む。
【００６０】
幾つかの態様においては、フレーム、例えばＭＡＣフレーム５００、は、“搬送されるフレーム”と呼ばれることがあり、他のフレーム内にラッピングすることができ、それは、ここでは“ラッパーフレーム”（ｗｒａｐｐｅｒ  ｆｒａｍｅ）と呼ぶことができる。従って、ラッパーフレームは、搬送されるフレームを備える。ラッパーフレームは、ＰＰＤＵの一部として送信及び受信することができる。ラッパーフレームは、ラッパーフレーム及び搬送されるフレームに関する追加情報を含むこともできる。ラッパーフレームは、タイプフィールドと、サブタイプフィールドと、制御フィールドと、搬送されるフレームと、を備えることができる。タイプフィールド、サブタイプフィールド、及び制御フィールドの各々は、１つ以上のビットを備えることができる。それらのビットの値は、以下において説明されるようにラッパーフレーム及び制御フレームに関する情報を示すことができる。
【００６１】
タイプフィールドは、ラッパーフレームがラッパーフレーム又は他タイプのフレームであることを示すことができる。フレームがラッパーフレームであることをタイプフィールドが示す場合は、サブタイプフィールドは、ラッパーフレームが制御フレーム（搬送されるフレーム）のためのラッパー、又は何らかのその他のタイプのフレームのためのラッパーであることを示すことができる。フレームが制御フレームのためのラッパーフレームであることをタイプフィールド及びサブタイプフィールドが示す場合は、制御フィールドは、搬送されるフレームがＨＴフォーマット又はＶＨＴフォーマットのいずれを用いるかを示すことができる（例えば、ＨＴ制御フレーム又はＶＨＴ制御フレームである）。制御フィールドは、予約されたサブフィールドを有することができ、搬送されるフレームのフォーマットは、予約されたサブフィールドの値に基づくことができる。予約されたサブフィールドは、単一のビットを備えることができる。幾つかの態様においては、予約されたサブフィールドは、複数のビットを備えることができる。例えば、予約されたサブフィールドは、制御フィールド内の第１、第２１又は第２２のビットのうちの少なくとも１つ、及び、制御フィールドの第２６乃至第３０のビットのうちのいずれかを備えることができる。
【００６２】
ラッパーフレームの受信機は、搬送されるフレームが制御フレームであるとの決定及び搬送されるフレームのフォーマットに基づいてそれを処理することができる。特に、受信機は、ラッパーフレームが制御フレームを搬送するラッパーフレームであると最初に決定し、次に、制御フィールドを調べて制御フレームのフォーマットを決定する。次に、受信機は、決定されたフォーマットに基づいて搬送される制御フレームを処理することができる。
【００６３】
搬送される制御フレームは、ＭＡＣフレーム５００と同様のフォーマットを有することができる。例えば、搬送される制御フレームは、継続時間フィールド、例えば継続時間フィールド５０４、アドレスフィールド、例えばアドレス１フィールド５０６、搬送されるフレーム制御フィールド、例えばＨＴ制御フィールド４０４、及びＦＣＳフィールド、例えばＦＣＳフィールド５０８のうちの少なくとも１つを備えることができる。
【００６４】
図９Ａは、搬送されるフレームを有するフレームラッパー内に含められた制御フィールドのタイプを決定する方法の実装のフローチャートである。ブロック９Ａ−１によって表されるように、方法は、フレームラッパータイプを決定することを含む。ブロック９Ａ−２によって表されるように、方法は、データユニットタイプがＶＨＴであるか又はＨＴであるかを決定することを含む。データユニットタイプがＨＴ（９Ａ−２からのＨＴ経路）である場合は、ブロック９Ａ−３によって表されるように、ＨＴ制御フィールドが存在する。データユニットタイプがＶＨＴである場合は（９Ａ−２からのＶＨＴ経路）、ブロック９Ａ−４によって表されるように、ＶＨＴ制御フィールドが存在する。
【００６５】
図９Ｂは、搬送されるフレームを有するフレームラッパー内に含められた制御フィールドのタイプを決定する他の方法の実装のフローチャートである。ブロック９Ｂ−１によって表されるように、方法は、フレームラッパータイプを決定することを含む。ブロック９Ｂ−２によって表されるように、方法は、ＶＨＴ制御フィールド又はＨＴ制御フィールドのいずれが存在するかを決定するためにフレーム制御フィールドを構文解析することを含む。制御フィールドが存在しない場合は（９Ｂ−３からのいいえ経路）、方法は、停止することを含む。制御フィールドが存在する場合は、（９Ｂ−３からのはい経路）、方法は、ブロック９Ｂ−５によって表されるように予約されたビットを構文解析することを含む。予約されたビットが設定されていない場合は（９Ｂ−５からのいいえ経路）、ブロック９Ｂ−６によって表されるように、方法は、制御フィールドがＨＴ制御フィールドであると決定することを含む。他方、予約されたビットが設定されている場合は（９Ｂ−５からのはい経路）、ブロック９Ｂ−７によって表されるように、方法は、制御フィールドがＶＨＴ制御フィールドであると決定することを含む。
【００６６】
幾つかの態様においては、第１の無線ノード、例えばＡＰ１１０、は、第２の無線ノード、例えばＵＴ１２０、にチャネル状態情報（ＣＳＩ）を要求することができる。ＵＴ１２０は、ＣＳＩでもって要求に応答することができる。
【００６７】
図１０は、典型的なＣＳＩフィードバックプロトコル１０００を例示する。ＡＰ１１０は、ヌルデータパケットアナウンスメント（ＮＤＰＡ）フレーム１００２を及び短いフレーム間シンボル（ＳＩＦＳ）期間１００６後に続いてヌルデータパケット（ＮＤＰ）フレーム１００４を１つ以上のユーザ端末１２０に対して送信することができる。ＮＤＰＡフレーム１００２は、計算されたＣＳＩフィードバックメッセージをＡＰ１１０に送信すべきであるユーザ端末１２０の関連付け識別子（Ａｓｓｏｃｉａｔｉｏｎ  Ｉｄｅｎｔｉｆｉｅｒ）（ＡＩＤ）を備えることができる。
【００６８】
ＮＤＰＡ内で識別されないユーザ端末１２０は、後続するＮＤＰＡフレーム１００４を無視することができる。ＮＤＰフレーム１００４は、対応するＣＳＩフィードバックを計算するために識別されたユーザ端末１２０の各々によって利用されるサウンディングフレーム（ｓｏｕｎｄｉｎｇ  ｆｒａｍｅ）を備えることができる。ＮＤＰＡフレーム１００２内の最初の記載されたユーザ端末１２０は、図１０において例示されるように、ＮＤＰフレーム１００４の送信後のＳＩＦＳ期間に引き続いてＣＳＩフィードバック１００８を送信することができる。その他の識別されたユーザ端末１２０は、互いのユーザ端末１２０のためにＣＳＩポールメッセージ（サウンディングポールメッセージ）を利用することによってポーリングすることができ、及びその後にＡＰ１１０にＣＳＩフィードバックを送信することができる。
【００６９】
図１１は、典型的なＮＤＰＡフレーム１００２を例示する。幾つかの態様においては、ＮＤＰＡフレーム１００２は、ＣＳＩ要求メッセージと呼ぶことができ、それは、制御フレームタイプであることができる。ＮＤＰＡフレーム１００２は、フレーム制御フィールド１１０２と、継続時間フィールド１１０４と、ＲＡブロードキャストフィールド１１０６と、ＴＡフィールド１１０８と、ＣＳＩシーケンス（又はサウンディングシーケンス）フィールド１１１２と、ユーザ端末（ＳＴＡ）情報フィールド１１１４と、フレーム検査シーケンス（ＦＣＳ）フィールド１１１６と、を含む。
【００７０】
例示される態様においては、フレーム制御フィールド１１０２は、１６ビットを備え、継続時間フィールド１１０４は、１６ビットを備え、ＮＤＰＡフレーム１００２の長さを含むことができる。ＲＡブロードキャストフィールド１１０６は、４８ビットを備え、複数のＳＴＡのためのブロードキャスト／マルチキャストアドレスを備えることができる。ＴＡフィールド１１０８は、４８ビットを備え、ＮＤＰＡフレーム１００２を送信するデバイスのアドレス又は識別子を備えることができる。
【００７１】
ＣＳＩシーケンスフィールド１１１２は、８ビットを備える。ＣＳＩシーケンスフィールド１１１２は、ＮＤＰＡフレーム１００２のためのシーケンス番号又はＮＤＰＡフレーム１００２を一意で識別するその他の記述子を備えることができる。
【００７２】
ＳＴＡ情報フィールド１１１４の長さは、変化することができ、及び、ＣＳＩを要求する各ユーザ端末１２０のための情報を含むことができる。上記のように、ＦＣＳフィールド１１１６は、３２ビットを備え、及び巡回冗長性検査（ＣＲＣ）を決定するためのデータを備えることができる。
【００７３】
ＮＤＰＡフレーム１００２内で識別され、ＮＤＰＡフレーム１００２及びＮＤＰフレーム１００４を受信するユーザ端末１２０は、ＣＳＩフィードバックフレーム１００８内のＣＳＩ情報でもって応答することができる。
【００７４】
幾つかの態様においては、ＡＰ１１０は、使用すべき特定の変調コーディング方式（ＭＣＳ）をユーザ端末１２０へのメッセージ内で示すことによって特定のＭＣＳを用いてＣＳＩを送信するように要求又は依頼することができる。ＡＰは、ユーザ端末１２０から受信したフィードバック情報、ＭＣＳフィードバック（ＭＦＢ）、に基づいてＭＣＳを選択することができる。ＭＦＢは、ＭＣＳ推定値（ＭＣＳが現在の環境で最良の形で用いられることの推定値）を含むことができる。幾つかの態様においては、ＡＰ１１０は、ＭＦＢを求める要求をユーザ端末１２０に送信し、ユーザ端末１２０は、そのＭＦＢでもって応答する。従って、ＳＴＡは、受信された要求の特徴に基づいてＭＣＳ推定値を計算する。さらに、ＡＰ１１０は、ＭＦＢ及びそれがユーザ端末１２０に送信した要求の特徴に基づいて使用されるＭＣＳを決定する。
【００７５】
幾つかの態様においては、ユーザ端末１２０は、要請されないＭＦＢをＡＰ１１０に送信するように構成することができ、このことは、ユーザ端末１２０が、ＡＰ１１０からＭＦＢを求める要求を受信せずにＭＦＢを送信することを意味する。ＡＰ１１０はＭＦＢを予想しておらず、従って、ユーザ端末１２０がＭＦＢに関してＡＰ１１０からのいずれの通信に基づいたものであるかを知らない。ＡＰ１１０は、通信のためのＭＣＳを適切に選択するためにユーザ端末１２０が対象となるＭＦＢに関していずれの通信に基づいたものであるかを知る必要がある。
【００７６】
従って、ＡＰ１１０が要請されないＭＦＢを受信したときには、ＡＰ１１０は、それが要請されないＭＦＢであると最初に決定する。ＡＰ１１０は、それが要請されないＭＦＢであることを示すそのＭＦＢ内のインジケータ（例えば、フィールド（例えば、ＭＦＳＩ（ＭＣＳフィードバック（ＭＦＢ）シーケンス識別子）フィールド）に基づいてこの決定を行うことができる。次に、ＡＰ１１０は、ＭＦＢがいずれの通信に基づいたものであるか（例えば、ＡＰ１１０がユーザ端末１２０に送信した複数の通信のうちの１つ）を決定する。ＡＰがこの決定を行うのを援助するため、ＭＦＢは、グループＩＤ（ＧＩＤ）フィールド、ビーム形成フィールドを含むこともでき、及び／又は特定のＭＣＳを用いて送信することができる。次に、ＡＰ１１０は、ＡＰ１１０が直近においてユーザ端末１２０に送信したいずれの通信が、ＧＩＤ、ビーム形成値、を有するか、及び／又はＭＦＢのＭＣＳに一致するそれを用いたかどうかを識別する。一致した特徴を有し、時間的に直近において送信された通信が、ＭＦＢが送信された対象となる通信として識別される。次に、ＡＰ１１０は、ＭＦＢ及び識別された通信を用いて、ユーザ端末１２０が使用するためのＭＣＳを決定することができる。次に、ＡＰ１１０は、使用されるべきＭＣＳの表示をユーザ端末１２０に送信すること及び／又はＭＣＳを用いてデータ自体を送信することができる。
【００７７】
ここにおいて用いられる場合の表現“決定すること”は、非常に様々な行動を包含する。例えば、“決定すること”は、計算すること、演算すること、処理すること、導き出すこと、調査すること、検索すること（例えば、テーブル、データベース又は他のデータ構造内を検索すること）、確認すること、等を含むことができる。さらに、“決定すること”は、受信すること（例えば、情報を受信すること）、アクセスすること（例えば、メモリ内のデータにアクセスすること）、等を含むことができる。さらに、“決定すること”は、解決すること、選定すること、選択すること、確立すること、等を含むことができる。
【００７８】
ここにおいて用いられる場合において、項目（品目）のリストのうちの“少なくとも１つ”という句は、単一の構成要素を含むそれらの項目（品目）のあらゆる組み合わせを意味する。一例として、“ａ、ｂ、又はｃのうちの少なくとも１つ”は、ａ、ｂ、ｃ、ａ−ｂ、ａ−ｃ、ｂ−ｃ、及びａ−ｂ−ｃを網羅することが意図される。
【００７９】
上述される方法の様々な動作は、対応する機能を果たすことが可能なあらゆる適切な手段によって実行することができる。手段は、様々なハードウェア及び／又はソフトウェアコンポーネント、及び／又はモジュールを含み、回路、特定用途向け集積回路（ＡＳＩＣ）、又はプロセッサを含むがそれらに限定されない。概して、図において例示される動作、モジュール、又はステップが存在する場合は、それらの動作は、対応する、相対する手段プラス機能（ｍｅａｎｓ−ｐｌｕｓ−ｆｕｎｃｔｉｏｎ）コンポーネントを有することができる。例えば、ユーザ端末は、制御フィールドを有するフレームを受信するための手段と、制御フィールドに少なくとも部分的に基づいて制御フィールドが第１のタイプを備えるか又は第２のタイプを備えるかを決定するための手段と、決定されたタイプに基づいて制御フィールドを処理するための手段と、を備えることができる。
【００８０】
図１２は、本開示の幾つかの態様によるユーザ端末例１２００のブロック図を示す。ユーザ端末１２００は、上述される受信するための手段の機能を果たすように構成することができる受信モジュール１２０５を備える。幾つかの態様においては、受信モジュールは、図２の受信機２５４のうちの１つ以上に対応することができる。ユーザ端末１２００は、上述される決定するための手段の機能を果たすように構成することができる決定モジュール１２１０をさらに備える。幾つかの態様においては、決定モジュールは、図２のコントローラ２８０に対応することができる。ユーザ端末１２００は、上述される処理するための手段の機能を果たすように構成することができる処理モジュール１２１５をさらに備える。幾つかの態様においては、処理モジュールは、図２のコントローラ２８０に対応することができる。
【００８１】
本開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ信号（ＦＰＧＡ）又はその他のプログラマブル論理デバイス（ＰＬＤ）、ディスクリートゲートロジック、ディスクリートトランジスタロジック、ディスクリートハードウェアコンポーネント、又はそれらのあらゆる組合せ、を用いて実装又は実行することができる。汎用プロセッサは、マイクロプロセッサであることができるが、代替においては、プロセッサは、どのような市販のプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。
【００８２】
１つ以上の態様においては、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令又はコードとして格納する又は送信することができる。コンピュータによって読み取り可能な媒体は、コンピュータ記憶媒体と、１箇所から他へのコンピュータプログラムの転送を容易にする媒体を含む通信媒体と、の両方を含む。記憶媒体は、コンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができ及びコンピュータによってアクセス可能であるその他の媒体、を備えることができる。さらに、どのような接続も、コンピュータによって読み取り可能な媒体と適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ｂｌｕ−ｒａｙディスク（ｄｉｓｃ）と、を含み、ここで、ｄｉｓｋは、通常は磁気的にデータを複製し、ｄｉｓｃは、レーザを用いて光学的にデータを複製する。従って、幾つかの態様においては、コンピュータによって読み取り可能な媒体は、非一時的なコンピュータによって読み取り可能な媒体（例えば、有形な媒体）を備えることができる。さらに、幾つかの態様においては、コンピュータによって読み取り可能な媒体は、一時的なコンピュータによって読み取り可能な媒体（例えば、信号）を備えることができる。上記の組み合わせも、コンピュータによって読み取り可能な媒体の適用範囲内に含められるべきである。
【００８３】
ここにおいて開示される方法は、説明された方法を達成させるための１つ以上のステップ又は行動を備える。方法のステップ及び／又は行動は、請求項の適用範囲を逸脱することなしに互換することができる。換言すると、ステップ又は行動の特定の順序が明示されない限り、特定のステップ及び／又は行動の順序及び／又は使用は、請求項の適用範囲を逸脱することなしに変更することができる。
【００８４】
説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令として格納することができる。記憶媒体は、コンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができ及びコンピュータによってアクセス可能であるその他の媒体、を備えることができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピーディスク（ｄｉｓｋ）と、Ｂｌｕ−ｒａｙ（登録商標）ディスク（ｄｉｓｃ）と、を含み、ここで、ｄｉｓｋは、通常は磁気的にデータを複製し、ｄｉｓｃは、レーザを用いて光学的にデータを複製する。
【００８５】
従って、幾つかの態様は、ここにおいて提示された動作を実行するためのコンピュータプログラム製品を備えることができる。例えば、該コンピュータプログラム製品は、ここにおいて説明される動作を実行するために１つ以上のプロセッサによって実行可能な命令が格納されている（及び／又は符号化されている）コンピュータによって読み取り可能な媒体を備えることができる。幾つかの態様の場合は、コンピュータプログラム製品は、パッケージング材料を含むことができる。
【００８６】
ソフトウェア又は命令は、送信媒体を通じて送信することもできる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、送信媒体の定義の中に含まれる。
【００８７】
さらに、ここにおいて説明される方法及び技法を実施するためのモジュール及び／又はその他の適切な手段は、ユーザ端末及び／又は基地局によって適宜ダウンロードすること及び／又はその他の方法で入手することができることが評価されるべきである。例えば、該デバイスは、ここにおいて説明される方法を実行するための手段の転送を容易にするためにサーバに結合することができる。代替として、ここにおいて説明される様々な方法は、記憶手段（例えば、ＲＡＭ、ＲＯＭ、物理的記憶媒体、例えばコンパクトディスク（ＣＤ）、フロッピーディスク、等）を介して提供することができ、このため、ユーザ端末及び／又は基地局は、デバイスに記憶手段を結合又は提供次第様々な方法を入手することができる。さらに、ここにおいて説明される方法及び技法をデバイスに提供するためのあらゆるその他の適切な技法を利用可能である。
【００８８】
請求項は、上記の正確な構成及びコンポーネントに限定されないことが理解されるべきである。請求項の適用範囲を逸脱することなしに上述される方法及び装置の手はず、動作及び詳細の様々な修正、変更及び変形を行うことができる。
【００８９】
上記は、本開示の態様を対象とする一方で、本開示の基本的な適用範囲を逸脱することなしにそれのその他の及びさらなる態様を案出することができ、それらの適用範囲は、後続する請求項によって決定される。
以下に、本願出願の当初の特許請求の範囲に記載された発明を付記する。
［Ｃ１］
制御フィールドを有する第１のフレームを受信することと、
前記制御フィールドに少なくとも部分的に基づいて前記制御フィールドが第１のタイプを備えるか又は第２のタイプを備えるかを決定することと、
前記決定されたタイプに基づいて前記制御フィールドを処理することと、を備える、無線通信方法。
［Ｃ２］
前記第１のフレームは、前記制御フィールドと第２のフレームとを備えるラッパーフレームであり、前記決定されたタイプに基づいて前記第２のフレームを処理することをさらに備えるＣ１に記載の方法。
［Ｃ３］
前記制御フィールド内のビットを評価することと、前記ビットが第１の値を有する場合は前記第２のフレームはＶＨＴ制御フレームであると決定することと、をさらに備えるＣ２に記載の方法。
［Ｃ４］
前記制御フィールド内のビットを評価することと、前記ビットが第１の値を有する場合は前記第２のフレームはＨＴ制御フレームであると決定することと、をさらに備えるＣ２に記載の方法。
［Ｃ５］
前記制御フィールドは、継続時間フィールド、アドレスフィールド、搬送されるフレーム制御、又はＦＣＳフィールドのうちの少なくとも１つをさらに備えるＣ３に記載の方法。
［Ｃ６］
前記ラッパーフレームは、前記制御フィールドの予約されたサブフィールドに対応する前記制御フィールドの場所内において１つ以上のビットを備えるＣ２に記載の方法。
［Ｃ７］
前記場所は、制御フィールド内の第１、第２１又は第２２のビットのうちの少なくとも１つと前記制御フィールド内の第２６乃至第３０のビットのうちのいずれかと、を備えるＣ６に記載の方法。
［Ｃ８］
前記ラッパーフレームは、物理層プロトコルデータユニット（ＰＰＤＵ）で受信されるＣ６に記載の方法。
［Ｃ９］
前記制御フィールドは、リンク適合化制御サブフィールド、予約されたサブフィールド、ＡＣ制約サブフィールド、又はＲＤＧサブフィールドのうちの少なくとも１つを備えるＶＨＴ制御フィールドを備えるＣ３に記載の方法。
［Ｃ１０］
前記リンク適合化制御サブフィールドは、１６ビットを備え、前記予約されたサブフィールドは、１４ビットを備え、前記ＡＣ制約サブフィールドは、１ビットを備え、前記ＲＤＧサブフィールドは、１ビットを備えるＣ９に記載の方法。
［Ｃ１１］
前記第１のフレームは、前記制御フィールドと異なるフレーム制御サブフィールドを備え、前記フレーム制御サブフィールドに基づいて前記第１のフレームはＶＨＴラッパーを備えると決定することをさらに備えるＣ１に記載の方法。
［Ｃ１２］
前記第１のフレームは、前記第１のフレームがラッパーフレームであることを示すタイプフィールドを備えるＣ１に記載の方法。
［Ｃ１３］
前記第１のフレームは、前記第１のフレームが制御フレームのためのラッパーであることを示すサブタイプフィールドを備えるＣ１に記載の方法。
［Ｃ１４］
制御フィールドを有する第１のフレームを受信するように構成された受信機と、
前記制御フィールドに少なくとも部分的に基づいて前記制御フィールドが第１のタイプを備えるか又は第２のタイプを備えるかを決定し、及び
前記決定されたタイプに基づいて前記制御フィールドを処理するように構成された処理システムと、を備える、無線通信のための装置。
［Ｃ１５］
前記第１のフレームは、前記制御フィールドと第２のフレームとを備えるラッパーフレームであり、前記プロセッサは、前記決定されたタイプに基づいて前記第２のフレームを処理するようにさらに構成されるＣ１４に記載の装置。
［Ｃ１６］
前記プロセッサは、
前記制御フィールド内のビットを評価し、及び
前記ビットが第１の値を有する場合は前記第２のフレームはＶＨＴ制御フレームであると決定するようにさらに構成されるＣ１５に記載の装置。
［Ｃ１７］
前記プロセッサは、
前記制御フィールド内のビットを評価し、及び
前記ビットが第１の値を有する場合は前記第２のフレームはＨＴ制御フレームであると決定するようにさらに構成されるＣ１５に記載の装置。
［Ｃ１８］
前記制御フィールドは、継続時間フィールド、アドレスフィールド、搬送されるフレーム制御、又はＦＣＳフィールドのうちの少なくとも１つをさらに備えるＣ１６に記載の装置。
［Ｃ１９］
前記ラッパーフレームは、前記制御フィールドの予約されたサブフィールドに対応する前記制御フィールドの場所内において１つ以上のビットを備えるＣ１５に記載の装置。
［Ｃ２０］
前記場所は、制御フィールド内の第１、第２１又は第２２のビットのうちの少なくとも１つと前記制御フィールド内の第２６乃至第３０のビットのうちのいずれかと、を備えるＣ１９に記載の装置。
［Ｃ２１］
前記ラッパーフレームは、物理層プロトコルデータユニット（ＰＰＤＵ）で受信されるＣ１９に記載の装置。
［Ｃ２２］
前記制御フィールドは、リンク適合化制御サブフィールド、予約されたサブフィールド、ＡＣ制約サブフィールド、又はＲＤＧサブフィールドのうちの少なくとも１つを備えるＶＨＴ制御フィールドを備えるＣ１６に記載の装置。
［Ｃ２３］
前記リンク適合化制御サブフィールドは、１６ビットを備え、前記予約されたサブフィールドは、１４ビットを備え、前記ＡＣ制約サブフィールドは、１ビットを備え、前記ＲＤＧサブフィールドは、１ビットを備えるＣ２２に記載の装置。
［Ｃ２４］
前記第１のフレームは、前記制御フィールドと異なるフレーム制御フィールドを備え、前記フレーム制御フィールドに基づいて前記第１のフレームはＶＨＴラッパーを備えると決定することをさらに備えるＣ１４に記載の装置。
［Ｃ２５］
前記第１のフレームは、前記第１のフレームがラッパーフレームであることを示すタイプフィールドを備えるＣ１４に記載の装置。
［Ｃ２６］
前記第１のフレームは、前記第１のフレームが制御フレームのためのラッパーであることを示すサブタイプフィールドを備えるＣ１４に記載の装置。
［Ｃ２７］
制御フィールドを有するフレームを受信するための手段と、
前記制御フィールドに少なくとも部分的に基づいて前記制御フィールドが第１のタイプを備えるか又は第２のタイプを備えるかを決定するための手段と、
前記決定されたタイプに基づいて前記制御フィールドを処理するための手段と、を備える、無線通信のための装置。
［Ｃ２８］
前記第１のフレームは、前記制御フィールドと第２のフレームとを備えるラッパーフレームであり、前記決定されたタイプに基づいて前記第２のフレームを処理するための手段をさらに備えるＣ２７に記載の装置。
［Ｃ２９］
前記制御フィールド内のビットを評価するための手段と、前記ビットが第１の値を有する場合は前記第２のフレームはＶＨＴ制御フレームであると決定するための手段と、をさらに備えるＣ２８に記載の装置。
［Ｃ３０］
前記制御フィールド内のビットを評価するための手段と、前記ビットが第１の値を有する場合は前記第２のフレームはＨＴ制御フレームであると決定するための手段と、をさらに備えるＣ２８に記載の装置。
［Ｃ３１］
前記制御フィールドは、継続時間フィールド、アドレスフィールド、搬送されるフレーム制御、又はＦＣＳフィールドのうちの少なくとも１つをさらに備えるＣ２９に記載の装置。
［Ｃ３２］
前記ラッパーフレームは、前記制御フィールドの予約されたサブフィールドに対応する前記制御フィールドの場所内において１つ以上のビットを備えるＣ２９に記載の装置。
［Ｃ３３］
前記場所は、制御フィールド内の第１、第２１又は第２２のビットのうちの少なくとも１つと前記制御フィールド内の第２６乃至第３０のビットのうちのいずれかと、を備えるＣ３２に記載の装置。
［Ｃ３４］
前記ラッパーフレームは、物理層プロトコルデータユニット（ＰＰＤＵ）で受信されるＣ３２に記載の装置。
［Ｃ３５］
前記制御フィールドは、リンク適合化制御サブフィールド、予約されたサブフィールド、ＡＣ制約サブフィールド、又はＲＤＧサブフィールドのうちの少なくとも１つを備えるＶＨＴ制御フィールドを備えるＣ２９に記載の装置。
［Ｃ３６］
前記リンク適合化制御サブフィールドは、１６ビットを備え、前記予約されたサブフィールドは、１４ビットを備え、前記ＡＣ制約サブフィールドは、１ビットを備え、前記ＲＤＧサブフィールドは、１ビットを備えるＣ３５に記載の装置。
［Ｃ３７］
前記第１のフレームは、前記制御フィールドと異なるフレーム制御サブフィールドを備え、前記フレーム制御サブフィールドに基づいて前記第１のフレームはＶＨＴラッパーを備えると決定するための手段をさらに備えるＣ２７に記載の装置。
［Ｃ３８］
前記第１のフレームは、前記第１のフレームがラッパーフレームであることを示すタイプフィールドを備えるＣ２７に記載の装置。
［Ｃ３９］
前記第１のフレームは、前記第１のフレームが制御フレームのためのラッパーであることを示すサブタイプフィールドを備えるＣ２７に記載の装置。
［Ｃ４０］
実行されたときに、
制御フィールドを有するフレームを受信し、
前記制御フィールドに少なくとも部分的に基づいて前記制御フィールドが第１のタイプを備えるか又は第２のタイプを備えるかを決定し、及び
前記決定されたタイプに基づいて前記制御フィールドを処理することを装置に行わせる命令を備えるコンピュータによって読み取り可能な媒体を備える無線で通信するためのコンピュータプログラム製品。
［Ｃ４１］
アンテナと、
制御フィールドを有するフレームを、前記アンテナを介して、受信するように構成された受信機と、
前記制御フィールドに少なくとも部分的に基づいて前記制御フィールドが第１のタイプを備えるか又は第２のタイプを備えるかを決定し、及び
前記決定されたタイプに基づいて前記制御フィールドを処理するように構成された処理システムと、を備える、無線通信のためのユーザ端末。
【図１】
0005602951.tif 000002
【図２】
0005602951.tif 000003
【図３】
0005602951.tif 000004
【図４Ａ】
0005602951.tif 000005
【図４Ｂ】
0005602951.tif 000006
【図４Ｃ】
0005602951.tif 000007
【図４Ｄ】
0005602951.tif 000008
【図５Ａ】
0005602951.tif 000009
【図５Ｂ】
0005602951.tif 000010
【図６Ａ】
0005602951.tif 000011
【図６Ｂ】
0005602951.tif 000012
【図７Ａ】
0005602951.tif 000013
【図７Ｂ】
0005602951.tif 000014
【図８】
0005602951.tif 000015
【図９Ａ】
0005602951.tif 000016
【図９Ｂ】
0005602951.tif 000017
【図１０】
0005602951.tif 000018
【図１１】
0005602951.tif 000019
【図１２】
0005602951.tif 000020